(57)【要約】      （修正有）【課題】ウエスト部及び下腹部による２段階の押圧力により、着用者の下腹を下方から引き上げ、着用者のウエストラインに綺麗で滑らかなくびれを形成することができるアンダーシャツを提供する。【解決手段】アンダーシャツ１０は、着用者の臀部に対応し、裾部１１に隣接する略半楕円形状の編地であるヒップ部１２と、着用者の脊椎に対応し、上方縁端部近傍の縫製部分１０ａからヒップ部１２まで延在する支持部１３と、着用者の腰部に対応し、支持部１３に連結する略Ｖ字形状の編地であるウエスト部１６と、着用者の下腹に対応し、ウエスト部１６に隣接して当該ウエスト部１６及び裾部１１間に編成され、支持部１３に連結する略Ｖ字形状の編地である下腹部１７と、を備える。ウエスト部１６が、筒状編地の編組織のうち最も強い着圧の編組織で編成され、下腹部１７が、筒状編地の編組織のうちウエスト部１６の次に強い着圧の編組織で編成される。【選択図】図１
0003180599.tif 000002
【実用新案登録請求の範囲】
【請求項１】
丸編で編成される筒状編地の上方縁端部を前後左右で略半楕円状に切除して残存する当該上方縁端部近傍の前後同士の縫製により形成されるえりぐり及びそでぐりと、前記筒状編地の下方縁端部を構成する裾部と、を備えるアンダーシャツであって、
着用者の臀部に対応し、前記裾部に隣接する略半楕円形状の編地であるヒップ部と、
着用者の脊椎に対応し、前記上方縁端部近傍の縫製部分から前記ヒップ部まで延在する支持部と、
着用者の腰部に対応し、前記支持部に連結する略Ｖ字形状の編地であるウエスト部と、
着用者の下腹に対応し、前記ウエスト部に隣接して当該ウエスト部及び裾部間に編成され、前記支持部に連結する略Ｖ字形状の編地である下腹部と、
を備え、
前記ウエスト部が、前記筒状編地の編組織のうち最も強い着圧の編組織で編成され、
前記下腹部が、前記筒状編地の編組織のうち前記ウエスト部の次に強い着圧の編組織で編成されることを特徴とするアンダーシャツ。
【請求項２】
前記請求項１に記載のアンダーシャツにおいて、
前記裾部の縁端部に一定間隔毎にピコットが形成されることを特徴とするアンダーシャツ。
【請求項３】
前記請求項１又は２に記載のアンダーシャツにおいて、
前記ウエスト部、下腹部及びヒップ部が、畝状に併設される複数の突起部を内側に形成され、
前記下腹部における隣り合う突起部間の間隔が、前記ウエスト部における隣り合う突起部間の間隔よりも広く、前記ヒップ部における隣り合う突起部間の間隔よりも狭いことを特徴とするアンダーシャツ。
【請求項４】
前記請求項３に記載のアンダーシャツにおいて、
前記ヒップ部における隣り合う突起部間の編地が、平編地であることを特徴とするアンダーシャツ。
【請求項５】
前記請求項１乃至４のいずれかに記載のアンダーシャツにおいて、
前記筒状編地の周方向における前記支持部の伸縮抵抗が、前記筒状編地の編組織のうち最も大きく、
前記筒状編地の長さ方向における前記支持部の伸縮抵抗が、前記筒状編地の長さ方向における前記ウエスト部及び下腹部の伸縮抵抗より小さいことを特徴とするアンダーシャツ。
【考案の詳細な説明】
【技術分野】
【０００１】
この発明は、丸編で編成される筒状編地から形成されるアンダーシャツに関する。
【背景技術】
【０００２】
従来の女性用インナーウェアにおいては、バストを覆う椀部を備えて前身頃，後身頃と一体に縫製され、バストのアンダーラインを面内に位置し、椀部の面積内下部寄りから前身頃の上部寄りに亘る有幅のゴム伸縮自在なネット地をバストの保持面帯として前両脇まで縫い付ける（例えば、特許文献１参照）。
【先行技術文献】
【特許文献】
【０００３】
【特許文献１】実用新案登録第３０８０８６５号公報
【考案の概要】
【考案が解決しようとする課題】
【０００４】
従来の女性用インナーウェアは、バストのアンダーライン近傍に機能性を持たせたものであるが、他の部位に機能性を持たせたものではないうえに、別部材であるゴムテープ等の肩掛け紐、パッドや不織布の椀部、パワーネット地、レース地を縫製により相互に縫い合わせたものであり、製造工程が複雑であるという課題がある。
【０００５】
この考案は、上述のような課題を解決するためになされたもので、バストのアンダーライン近傍以外の部位にも機能性を持たせ、製造工程が簡易であるアンダーシャツを提供することを目的とする。
【課題を解決するための手段】
【０００６】
この考案に係るアンダーシャツにおいては、丸編で編成される筒状編地の上方縁端部を前後左右で略半楕円状に切除して残存する当該上方縁端部近傍の前後同士の縫製により形成されるえりぐり及びそでぐりと、筒状編地の下方縁端部を構成する裾部と、を備えるアンダーシャツであって、着用者の臀部に対応し、裾部に隣接する略半楕円形状の編地であるヒップ部と、着用者の脊椎に対応し、上方縁端部近傍の縫製部分からヒップ部まで延在する支持部と、着用者の腰部に対応し、支持部に連結する略Ｖ字形状の編地であるウエスト部と、着用者の下腹に対応し、ウエスト部に隣接して当該ウエスト部及び裾部間に編成され、支持部に連結する略Ｖ字形状の編地である下腹部と、を備え、ウエスト部が、筒状編地の編組織のうち最も強い着圧の編組織で編成され、下腹部が、筒状編地の編組織のうちウエスト部の次に強い着圧の編組織で編成されるものである。
【考案の効果】
【０００７】
この考案に係るアンダーシャツにおいては、ウエスト部及び下腹部による２段階の押圧力により、着用者の下腹を下方から引き上げ、着用者のウエストラインに綺麗で滑らかなくびれを形成することができる。
【図面の簡単な説明】
【０００８】
【図１】（ａ）は第１の実施形態に係るアンダーシャツの正面図であり、（ｂ）は第１の実施形態に係るアンダーシャツの背面図であり、（ｃ）は第１の実施形態に係るアンダーシャツの左側面図及び右側面図であり、（ｄ）は第１の実施形態に係るアンダーシャツの平面図であり、（ｅ）は第１の実施形態に係るアンダーシャツの背面図である。
【図２】（ａ）は図１に示すアンダーシャツの着用状態を示す正面図であり、（ｂ）は図１に示すアンダーシャツの着用状態を示す背面図である。
【図３】（ａ）は図１に示すアンダーシャツの着用状態を示す右前方から見た斜視図であり、（ｂ）は図１に示すアンダーシャツの着用状態を示す左後方から見た斜視図である。
【図４】（ａ）は図１に示すアンダーシャツの筒状編地を説明するための正面図であり、（ｂ）は図１に示すアンダーシャツの筒状編地を説明するための背面図である。
【図５】図１に示すヒップ部の編組織を説明するための編組織図である。
【図６】（ａ）は図１に示す支持部の編組織を説明するための編組織図であり、（ｂ）は図１に示すアンダーバスト両側部及び第２の骨盤部の編組織を説明するための編組織図であり、（ｃ）は図１に示すアンダーバスト中央部の編組織を説明するための編組織図であり、（ｄ）は図１に示す介在部の編組織を説明するための編組織図である。
【図７】（ａ）は図１に示すウエスト部の編組織を説明するための編組織図であり、（ｂ）は図１に示す下腹部の編組織を説明するための編組織図である。
【図８】図１に示す第１の骨盤部の編組織を説明するための編組織図である。
【考案を実施するための形態】
【０００９】
（本考案の第１の実施形態）
本実施形態に係るアンダーシャツ１０は、図１〜図４に示すように、丸編で編成される筒状編地２０の上方縁端部２１を前後左右で略半楕円状に切除して残存する当該上方縁端部２１近傍の前後同士の縫製により形成されるえりぐり１０ｂ及びそでぐり（アームホール）１０ｃと、筒状編地２０の下方縁端部２２を構成する裾部１１と、を備える。
なお、アンダーシャツ１０は、筒状編地２０の切除部分（えりぐり１０ｂ、そでぐり１０ｃ）にバインダテープにより端部処理が施されている。
【００１０】
また、アンダーシャツ１０は、図１（ｂ）及び図２（ｂ）に示すように、後ろ身頃（着用者の背中側）のそでぐり１０ｃに対応する部分を大きく開口させ、着用者の肩甲骨を自由に動かせるようにフリーにし、着用者の肩に負担が掛からない快適設計である。
【００１１】
また、本実施形態に係る裾部１１は、リブ編で編成される口ゴム部であり、特に、裾部１１の縁端部１１ａ（筒状編地２０の下方縁端部２２）に一定間隔毎にピコット（環状又はギザギザ状の縁飾り）１１ｂを形成することにより、アンダーシャツ１０の裾の巻き上がりを軽減する作用効果を奏する。なお、ピコット１１ｂは、裾部１１の折り返し部分（縁端部１１ａ）を跨るタック編地などを配設することにより形成される。
【００１２】
さらに、アンダーシャツ１０は、着用者の臀部（ヒップ）に対応し、裾部１１に隣接する略半楕円形状の編地であるヒップ部１２と、着用者の脊椎に対応し、上方縁端部２１近傍（両肩）の縫製部分１０ａからヒップ部１２まで延在する支持部１３と、を備える。
【００１３】
また、アンダーシャツ１０は、上方縁端部２１近傍（両肩）の縫製部分１０ａで支持部１３と連結して着用者の胸部（バスト）に対応するバスト部１４と、着用者の左右のバスト下に対応して支持部１３及びバスト部１４と共にそでぐり１０ｃを構成するアンダーバスト両側部１５ａと、着用者のみぞおちに対応し、左右のアンダーバスト両側部１５ａ間に位置するアンダーバスト中央部１５ｂと、を備える。
【００１４】
また、アンダーシャツ１０は、着用者の腰部に対応し、支持部１３に連結する略Ｖ字形状の編地であるウエスト部１６と、着用者の下腹に対応し、ウエスト部１６に隣接して当該ウエスト部１６及び裾部１１間に編成され、支持部１３に連結する略Ｖ字形状の編地である下腹部１７と、を備える。
【００１５】
さらに、アンダーシャツ１０は、着用者の骨盤に対応し、下腹部１７に隣接すると共に裾部１１及び支持部１３に連結する第１の骨盤部１８ａと、着用者の骨盤に対応し、ヒップ部１２に隣接すると共に裾部１１及び支持部１３に連結する第２の骨盤部１８ｂと、支持部１３、アンダーバスト両側部１５ａ、アンダーバスト中央部１５ｂ及びウエスト部１６に包囲される略Ｖ字形状の編地である介在部１９と、を備える。
【００１６】
また、ヒップ部１２、ウエスト部１６、下腹部１７及び第１の骨盤部１８ａは、畝状に併設される複数の突起部が内側に形成されるウェーブ編地である。
ここで、ウェーブ編地とは、平（プレーン）編のベース生地に対して、ベース生地を編成する過程でその所定箇所の平編にニットミスを行うことによって平編領域と浮き（フロート）編領域とを編成し、ウェーブ編の突起部が浮き編領域により平編領域を隆起させて形成される編組織である。
【００１７】
また、浮き編領域は、平編領域中にコース方向に対して斜め方向に所定間隔を隔てて連続して複数配設され、特に、連続して複数配設される浮き編領域（フロート編を始める位置）の相互間の間隔は、平編領域における８コース以下であって、且つ１ウェール以上ないし３ウェール以下であることが好ましい。これは、連続して複数配設される浮き編領域の相互間の間隔が、９コース以上では、コース方向で隣り合う浮き編領域の相互間の間隔が広がり過ぎてしまい、突起部が島状に点在することとなり、着用者に対する所望のマッサージ効果が得られないからである。また、連続して複数配設される浮き編領域（フロート編を始める位置）の相互間の間隔が、４ウェール以上であっても、ウェーブ編の突起部が島状に点在することになり、着用者に対する所望のマッサージ効果が得られないからである。
【００１８】
ヒップ部１２は、筒状編地２０の編組織のうち最も弱い着圧の編組織である平編地に対して、筒状編地２０の周方向に沿って三角波状に複数の突起部が併設され、他のウェーブ編地と比較して隣り合う突起部の間隔（凹部の幅）が最も広いウェーブ編で編成される。
【００１９】
なお、本実施形態に係るヒップ部１２の編組織は、図５に示すように、２２コース飛ばしのフロート編を２ウェール置きに編成するものであり、フロート編を始める位置が４コースずつ左上がりにずらした８つの浮き編領域とフロート編を始める位置が４コースずつ右上がりにずらした８つの浮き編領域とを交互に配置することにより編地に対して左上がり及び右上がりの突起部が交互に現れる三角波状に形成される。そして、ヒップ部１２の編組織は、この２２コース飛ばしの２×１フロート編から編成される編地を一単位として同一ウェールにおける浮き編領域の下端と浮き編領域の上端との間隔を４２コース隔てて（平編地を介して）連続して編成される。
【００２０】
このように、ヒップ部１２は、伸縮性のよい最弱圧の編組織の平編地（ソフト圧編み）により、着用者の臀部を潰さず丸いヒップを作り、ヒップ周りの贅肉をヒップ中心に集めるように補整して美尻を形成することができると共に、広い凹凸ウェーブ編地により、着用者の座る動作やしゃがむ動作におけるヒップの動きに対応し、隣り合う突起部間の凹部が伸縮よく広がってヒップに吸い付くように作用し、アンダーシャツ１０の裾部１１の巻き上がりを防止することができるという作用効果を奏する。
【００２１】
支持部１３は、筒状編地２０の長さ方向の伸縮抵抗が筒状編地２０の編組織のうち中程度の編組織であると共に、筒状編地２０の周方向の伸縮抵抗が筒状編地２０の編組織のうち最も大きい編組織であり、図６（ａ）に示すように、５コース飛ばしの１×１フロート編により編成される編地における平編領域と浮き編領域とを交互に配置した編目が狭いパワーネット編みで編成される。
【００２２】
この支持部１３は、パワーネット編みにより、筒状編地２０の長さ方向に伸縮性があることで、着用者の背部の湾曲に沿って支持部１３の編地が追従してアンダーシャツ１０を位置決めすると共に、筒状編地２０の周方向に伸び難いことで、着用者の背部に貼り付くようにフィットして、着用者の脊椎に沿って背部及び腰部を添え木のようにサポートし、ウエスト部１６と下腹部１７と第１の骨盤部１８ａと第２の骨盤部１８ｂとの連動で姿勢バランス配分を均等にして、着用者の姿勢を綺麗に補整することができるという作用効果を奏する。
【００２３】
バスト部１４は、筒状編地２０の編組織のうち最も弱い着圧の平編（ソフト圧編み）で編成される。このバスト部１４は、ソフト圧編みでトップ（バスト形状）を潰さず、着用者のみぞおちに圧力が掛からない快適設計であり、運動によるバストの揺れを適度に抑えるという作用効果を奏する。
【００２４】
アンダーバスト両側部１５ａは、筒状編地２０の編組織のうち中程度の着圧の編組織（中強圧編み）であり、図６（ｂ）に示すように、１×２フロート編と３×３フロート編とを１コース毎に交互に組み合わせた１×２−３×３フロート編地で編成される。
【００２５】
また、アンダーバスト中央部１５ｂは、筒状編地２０の編組織のうち着圧の弱い編組織であり、図６（ｃ）に示すように、１×２フロート編地で編成される。
【００２６】
これらのアンダーバスト両側部１５ａ及びアンダーバスト中央部１５ｂは、一体として、着用者のバストの下に位置する贅肉を上方に引き上げてバスト中央に集め、バストの形を綺麗に補整すると共に、着用者の背部におけるブラジャーのベルト上下からはみ出す贅肉を綺麗に覆うことができるという作用効果を奏する。なお、アンダーバスト両側部１５ａ及びアンダーバスト中央部１５ｂは、着用者の肋骨を内側（腹腔中心）に向けるように補正する方向性及び他の編地との関係における圧力バランスを考慮してデザインされている。
【００２７】
また、アンダーバスト中央部１５ｂは、着圧の弱い編組織であることにより、アンダーバスト両側部１５ａ及びアンダーバスト中央部１５ｂが同じ中強圧編みである場合と比較して、アンダーバスト両側部１５ａ及びアンダーバスト中央部１５ｂによる着用者の胸部への締め付けを緩和することができる。
【００２８】
ウエスト部１６は、筒状編地２０の編組織のうち最も強い着圧の編組織（最強圧編み）で編成され、他のウェーブ編地と比較して隣り合う突起部の間隔（凹部の幅）が最も狭いウェーブ編で編成される。
【００２９】
なお、本実施形態に係るウエスト部１６の編組織は、図７（ａ）に示すように、１０コース飛ばしのフロート編を１ウェール置きに編成するものであり、Ｖ字の中心線を基準として左側でフロート編を始める位置が２コースずつ左上がりにずらして配置し、Ｖ字の中心線を基準として右側でフロート編を始める位置が２コースずつ右上がりにずらして配置することにより、編地に対して左上がり又は左上がりの突起部が形成される。そして、ウエスト部１６の編組織は、この１０コース飛ばしの１×１フロート編から編成される編地を一単位として同一ウェールにおける浮き編領域の下端と浮き編領域の上端との間隔を６コース隔てて（１×３フロート編地を介して）連続して編成される（１×１−１×３フロート編地）。
【００３０】
このように、ウエスト部１６は、中央から左右の斜め上方に複数の凸部が併設される極細の凹凸ウェーブを備え、この凹凸ウェーブが、着用者の動作に伴う肌（表皮）の曲面に沿って、アコーディオンの蛇腹のように伸縮し、ウエスト部１６による着用者の肌へのくい込みや締め付けによる窮屈感を無くすことができるという作用効果を奏する。
特に、ウエスト部１６は、下腹部１７（強圧編み）と共に、強圧編み及び最強圧編みによる２段階の押圧力により、着用者の下腹を下方から引き上げ、着用者のウエストラインに綺麗で滑らかなくびれを形成することができるという作用効果を奏する。
【００３１】
下腹部１７は、筒状編地２０の編組織のうちウエスト部１６の次に強い着圧の編組織で編成され、他のウェーブ編地と比較して隣り合う突起部の間隔（凹部の幅）がウエスト部１６の次に狭いウェーブ編で編成される。
【００３２】
なお、本実施形態に係る下腹部１７の編組織は、図７（ｂ）に示すように、１０コース飛ばしのフロート編を１ウェール置きに編成するものであり、Ｖ字の中心線を基準として左側でフロート編を始める位置が２コースずつ左上がりにずらして配置し、Ｖ字の中心線を基準として右側でフロート編を始める位置が２コースずつ右上がりにずらして配置することにより、編地に対して左上がり又は左上がりの突起部が形成される。そして、下腹部１７の編組織は、この１０コース飛ばしの１×１フロート編から編成される編地を一単位として同一ウェールにおける浮き編領域の下端と浮き編領域の上端との間隔を６コース隔てて（平編地を介して）連続して編成される。
【００３３】
このように、下腹部１７は、中央から左右の斜め上方に複数の凸部が併設される極細の凹凸ウェーブを備え、ウエスト部１６（最強圧編み）と共に、着用者の下腹からウエストに繋がる強圧編み及び最強圧編みによる２段階編み（２段階の押圧力）により、効果的に下方から上方に引き上がる感覚を着用者に意識させ、着用者の下腹をすっきり引き締めることができるという作用効果を奏する。
【００３４】
第１の骨盤部１８ａは、筒状編地２０の編組織のうちバスト部１４及びヒップ部１２の次に弱い着圧の編組織（中圧編み）で編成され、他のウェーブ編地と比較して凹凸の間隔がウエスト部１６の次に広いウェーブ編で編成される。
【００３５】
なお、本実施形態に係る第１の骨盤部１８ａの編組織は、図８に示すように、１０コース飛ばしのフロート編を１ウェール置きに編成するものであり、Ｖ字の中心線を基準として左側でフロート編を始める位置が２コースずつ左上がりにずらして配置し、Ｖ字の中心線を基準として右側でフロート編を始める位置が２コースずつ右上がりにずらして配置することにより、編地に対して左上がり又は左上がりの突起部が形成される。そして、第１の骨盤部１８ａの編組織は、この１０コース飛ばしの１×１フロート編から編成される編地を一単位として同一ウェールにおける浮き編領域の下端と浮き編領域の上端との間隔を１４コース隔てて（１×２フロート編地を介して）連続して編成される。
【００３６】
また、第２の骨盤部１８ｂは、筒状編地２０の編組織のうち中程度の着圧の編組織（中強圧編み）であり、アンダーバスト両側部１５ａと同様に、図６（ｂ）に示すように、１×２フロート編と３×３フロート編とを１コース毎に交互に組み合わせた１×２−３×３フロート編地で編成される。
【００３７】
このように、第１の骨盤部１８ａ及び第２の骨盤部１８ｂは、中圧編み及び中強圧編みによる２段階編みを構成し、着用者の骨盤を立たせるように骨盤の歪みを補正する方向性及び他の編地との関係における圧力バランスを考慮してデザインされている。
特に、下腹部１７（強圧編み）と共に、着用者の臀部から腰部に繋がる中強圧編み、中圧編み及び強圧編みによる３段階の特殊編み（押圧力）により、着用者の腰周りを安定するようにサポートすることができるという作用効果を奏する。
【００３８】
介在部１９は、筒状編地２０の編組織のうち中程度の着圧の編組織（中強圧編み）であり、図６（ｄ）に示すように、１×３フロート編と５×３フロート編とを１コース毎に交互に組み合わせた１×３−５×３フロート編地で編成される。
【００３９】
なお、本実施形態に係るアンダーシャツ１０は、前述した各部位の編地により、筒状編地２０の長さ方向における編地の強弱関係が「ウエスト部１６＞下腹部１７＞介在部１９＞アンダーバスト両側部１５ａ＝第２の骨盤部１８ｂ＞支持部１３＞アンダーバスト中央部１５ｂ＞第１の骨盤部１８ａ＞ヒップ部１２≒バスト部１４」という編地の強弱関係にある。
【００４０】
また、本実施形態に係るアンダーシャツ１０は、前述した各部位の編地により、筒状編地２０の周方向における編地の強弱関係が「支持部１３＞ウエスト部１６＞下腹部１７＞介在部１９＞アンダーバスト両側部１５ａ＝第２の骨盤部１８ｂ＞アンダーバスト中央部１５ｂ＞第１の骨盤部１８ａ＞ヒップ部１２≒バスト部１４」という編地の強弱関係にある。
【符号の説明】
【００４１】
１０    アンダーシャツ
１０ａ  縫製部分
１１    裾部
１１ａ  縁端部
１１ｂ  ピコット
１２    ヒップ部
１３    支持部
１４    バスト部
１５ａ  アンダーバスト両側部
１５ｂ  アンダーバスト中央部
１６    ウエスト部
１７    下腹部
１８ａ  第１の骨盤部
１８ｂ  第２の骨盤部
１９    介在部
２０    筒状編地
２１    上方縁端部
２２    下方縁端部
【図１】
0003180599.tif 000003
【図２】
0003180599.tif 000004
【図３】
0003180599.tif 000005
【図４】
0003180599.tif 000006
【図５】
0003180599.tif 000007
【図６】
0003180599.tif 000008
【図７】
0003180599.tif 000009
【図８】
0003180599.tif 000010